(57)【要約】      （修正有）【課題】送信する情報の秘匿性を高めるとともに、電子メールアドレスやＵＲＬ等の入手を簡便化する通信端末、通信システムおよびアドレス情報の通信方法を提供する。【解決手段】アドレス情報を入力する入力手段６、３５と、入力したアドレス情報をＱＲコードに変換するＱＲコード変換手段３２と、変換したＱＲコードを添付ファイルとしてメールを作成するメール作成手段３３と、作成したメールを予め登録されたメールアドレスに送信する送信手段２とにより、送信する情報の秘匿性を高めるとともに、電子メールアドレスやＵＲＬ等の入手を簡便化する。【選択図】      図１
2006065491.tif 000002
【特許請求の範囲】
【請求項１】
アドレス情報を入力する入力手段と、
入力したアドレス情報をＱＲコードに変換するＱＲコード変換手段と、
変換したＱＲコードを添付ファイルとしてメールを作成するメール作成手段と、
作成したメールを予め登録されたメールアドレスに送信する送信手段と、
を備えたことを特徴とする通信端末。
【請求項２】
前記入力手段が撮像装置であり、
前記撮像装置が撮像したアドレス情報を文字認識する文字認識手段を備えたことを特徴とする請求項１に記載の通信端末。
【請求項３】
第１の通信端末と第２の通信端末とからなる通信システムであって、
前記第１の通信端末が、アドレス情報を入力する入力手段と、入力したアドレス情報をＱＲコードに変換するＱＲコード変換手段と、変換したＱＲコードを添付ファイルとしてメールを作成するメール作成手段と、作成したメールを予め登録された前記第２の通信端末のメールアドレスに送信する送信手段と、を備え、
前記第２の通信端末が、前記メールを受信する受信手段と、受信したメールに添付されたファイルからＱＲコードを抽出するＱＲコード抽出手段と、抽出されたＱＲコードをアドレス情報に関する文字情報に変換する文字情報変換手段と、変換した文字情報を格納する記憶手段と、
を備えたことを特徴とする通信システム。
【請求項４】
前記入力手段が撮像装置であり、
前記撮像装置が撮像したアドレス情報を文字認識する文字認識手段を備えたことを特徴とする請求項３に記載の通信システム。
【請求項５】
アドレス情報を入力するステップと、
入力したアドレス情報をＱＲコードに変換するステップと、
変換したＱＲコードを添付ファイルとしてメールを作成するステップと、
作成したメールを予め登録されたメールアドレスに送信するステップと、
を備えたことを特徴とするアドレス情報の通信方法。
【請求項６】
第１の通信端末と第２の通信端末とからなる通信システムにおけるアドレス情報の通信方法であって、
前記第１の通信端末が、アドレス情報を入力するステップと、入力したアドレス情報をＱＲコードに変換するステップと、変換したＱＲコードを添付ファイルとしてメールを作成するステップと、作成したメールを予め登録された前記第２の通信端末のメールアドレスに送信するステップと、を備え、
前記第２の通信端末が、前記メールを受信するステップと、受信したメールに添付されたファイルからＱＲコードを抽出するステップと、抽出したＱＲコードをアドレス情報に関する文字情報に変換するステップと、変換した文字情報を格納するステップと、
を備えたことを特徴とするアドレス情報の通信方法。
【発明の詳細な説明】
【技術分野】
【０００１】
本発明は、入力したアドレス情報をＱＲコードに変換して送信する通信端末、通信システムおよびアドレス情報の通信方法に関する。
【背景技術】
【０００２】
近年、携帯情報端末や携帯電話機に代表される通信端末装置の普及が目覚しく、特に携帯電話機においては通話料金や本体価格の低下に伴い、一人に一台の時代となりつつあり、特に、若者の間では既に必須アイテムとなっている。
【０００３】
また、それらの通信端末装置では基本機能である通話機能に加え、テキストデータや画像データ、各種ファイルを送受信する電子メール機能やインターネット接続機能を具備するものを各通信事業者が短期間に競って商品化しており、次々に性能アップと機能アップとが図られている。
【０００４】
ことに、最近では、カメラやムービー機能を備えた携帯情報端末も普及しており、電子メール機能と相俟って、従来の文字や音声情報に加えて画像情報のやりとりがさかんに行われている。
【０００５】
また、こうした携帯情報端末のカメラ機能に着目して、撮像した画像情報から信号処理によってＵＲＬ等の文字情報を抽出して、インターネットの所望のサイトにアクセスする技術も知られている（例えば、特許文献１参照）。
【特許文献１】特開２００３−１９８６７４号公報
【発明の開示】
【発明が解決しようとする課題】
【０００６】
ところが、携帯情報端末は、上述の電子メールやインターネット接続機能等の有用な機能が充実している反面、そもそもの特徴である携帯性を重視するために端末自体を小型化する必要があることから、キーの配置数や配置場所に制約があり、そのため、多くの情報をキー入力することが必ずしも容易でないという問題がある。特に、上記の機能を利用するために不可欠な電子メールアドレスやＵＲＬの入力は文章の入力とは異なり、あまり意味をなさない単なる文字の羅列であるケースが多いため、その入力には、手間がかかるという問題があった。また、メールによる情報のやりとりについては、従来から情報の秘匿性に問題があるとの指摘がある。一方、電子メールアドレス等は、一種の個人情報であるため、こうした情報をそのままメール送信する場合には、個人情報が漏洩する恐れもある。
【０００７】
そこで、本発明は、上記事情を考慮し、送信する情報の秘匿性を高めるとともに、電子メールアドレスやＵＲＬ等の情報の入手を簡便化する通信端末、通信システムおよびアドレス情報の通信方法を提供することを目的とする。
【課題を解決するための手段】
【０００８】
請求項１に記載の発明は、アドレス情報を入力する入力手段と、入力したアドレス情報をＱＲコードに変換するＱＲコード変換手段と、変換したＱＲコードを添付ファイルとしてメールを作成するメール作成手段と、作成したメールを予め登録されたメールアドレスに送信する送信手段と、を備えたことを特徴とする通信端末を提案している。
【０００９】
請求項５に記載の発明は、アドレス情報を入力するステップと、入力したアドレス情報をＱＲコードに変換するステップと、変換したＱＲコードを添付ファイルとしてメールを作成するステップと、作成したメールを予め登録されたメールアドレスに送信するステップと、を備えたことを特徴とするアドレス情報の通信方法を提案している。
【００１０】
請求項１および請求項５に記載の発明によれば、アドレス情報が入力手段により入力される。入力されたアドレス情報は、ＱＲコード変換手段によりＱＲコードに変換される。そして、メール作成手段が、変換されたＱＲコードを添付ファイルとしてメールを作成し、作成されたメールが送信手段により予め登録されたメールアドレスに送信される。
【００１１】
請求項２に記載の発明は、請求項１に記載された通信端末について、前記入力手段が撮像装置であり、前記撮像装置が撮像したアドレス情報を文字認識する文字認識手段を備えたことを特徴とする通信端末を提案している。
【００１２】
請求項２に記載の発明によれば、入力手段である撮像装置が、アドレス情報を画像情報として取得する。取得された画像情報は、文字認識手段により文字情報に変換される。
【００１３】
請求項３に記載の発明は、第１の通信端末と第２の通信端末とからなる通信システムであって、前記第１の通信端末が、アドレス情報を入力する入力手段と、入力したアドレス情報をＱＲコードに変換するＱＲコード変換手段と、変換したＱＲコードを添付ファイルとしてメールを作成するメール作成手段と、作成したメールを予め登録された前記第２の通信端末のメールアドレスに送信する送信手段とを備え、前記第２の通信端末が、前記メールを受信する受信手段と、受信したメールに添付されたファイルからＱＲコードを抽出するＱＲコード抽出手段と、抽出されたＱＲコードをアドレス情報に関する文字情報に変換する文字情報変換手段と、変換した文字情報を格納する記憶手段と、を備えたことを特徴とする通信システムを提案している。
【００１４】
請求項６に記載の発明は、第１の通信端末と第２の通信端末とからなる通信システムにおけるアドレス情報の通信方法であって、前記第１の通信端末がアドレス情報を入力するステップと、入力したアドレス情報をＱＲコードに変換するステップと、変換したＱＲコードを添付ファイルとしてメールを作成するステップと、作成したメールを予め登録された前記第２の通信端末のメールアドレスに送信するステップとを備え、前記第２の通信端末が前記メールを受信するステップと、受信したメールに添付されたファイルからＱＲコードを抽出するステップと、抽出したＱＲコードをアドレス情報に関する文字情報に変換するステップと、変換した文字情報を格納するステップと、を備えたことを特徴とするアドレス情報の通信方法を提案している。
【００１５】
請求項３および請求項６記載の発明によれば、第１の通信端末における入力手段がアドレス情報を入力する。入力されたアドレス情報は、変換手段によりＱＲコードに変換される。そして、メール作成手段が変換されたＱＲコードを添付ファイルとしてメールを作成し、作成されたメールが送信手段により予め登録されたメールアドレスに送信される。一方、第２の通信端末では、受信手段が第１の通信端末から送信されてきたメールを受信し、ＱＲコード抽出手段が受信したメールに添付されたファイルからＱＲコードを抽出する。そして、文字情報変換手段が、そのＱＲコードをアドレス情報に関する文字情報に変換する。こうして変換された文字情報は、記憶手段によって所定の記憶領域に格納される。
【００１６】
請求項４に記載の発明は、請求項３に記載の通信システムについて、前記入力手段が撮像装置であり、前記撮像装置が撮像したアドレス情報を文字認識する文字認識手段を備えたことを特徴とする通信システムを提案している。
【００１７】
請求項４に記載の発明によれば、入力手段である撮像装置が、アドレス情報を画像情報として取得する。取得された画像情報は、文字認識手段により文字情報に変換される。
【発明の効果】
【００１８】
請求項１および請求項５に記載の発明によれば、入力したアドレス情報をＱＲコードに変換し、これを電子メールの添付ファイルとして送信するため、送信する情報の秘匿性を高めることができるという効果がある。
【００１９】
請求項２および請求項４に記載の発明は、アドレス情報を撮像装置により画像情報として取得するため、送信したいアドレス情報を撮像装置により撮像するだけで容易に取得できるという効果がある。
【００２０】
請求項３および請求項６に記載の発明は、第１の通信端末が入力したアドレス情報をＱＲコードに変換し、これを電子メールの添付ファイルとして送信し、第２の通信端末が受信した添付ファイルから文字情報を取得して、これを記憶するため、取得したいアドレス情報を手間をかけることなく容易に取得できるという効果がある。
【発明を実施するための最良の形態】
【００２１】
次に、本発明の一実施形態に係る携帯電話装置について、図面を参照して説明する。
【００２２】
図１に示すように、本発明の実施形態に係る携帯電話装置１００は、アンテナ１と、通信部（送信手段、受信手段）２と、ＣＤＭＡ処理回路１５および音声コーデック１６とからなるベースバンド部３と、切替回路４と、制御回路（ＱＲコード抽出手段）５と、テンキー１９、通話キー２０、切キー２１及び機能キー２２からなる入力部（入力手段）６と、増幅回路７、８、９と、第１スピーカ１０と、マイクロホン１１と、第２スピーカ１２と、ディスプレイ１３と、照明部１４と、ＲＯＭ１７と、ＲＡＭ（記憶手段）１８と、文字認識部（文字認識手段）３１と、ＱＲコード変換部（ＱＲコード変換手段）３２と、メール作成部（メール作成手段）３３と、文字情報変換部（文字情報変換手段）３４と、撮像部（入力手段、撮像装置）３５と、から構成されている。
【００２３】
通信部（送信手段、受信手段）２は、後述のベースバンド部３から出力される中間周波数帯の送信信号を無線周波数帯に変換し、この信号をアンテナ１を介して基地局へ発信し、あるいはアンテナ１を介して受信した基地局からの電波信号を中間周波数帯に変換してベースバンド部３に出力する。本実施形態においては、他の携帯電話装置にメールを送信し、あるいは、他の携帯電話装置から送信されたメールを受信する。
【００２４】
ベースバンド部３を構成するＣＤＭＡ処理回路１５は、符号分割多元接続やスクランブル処理、誤り制御およびタイミング検出等の処理を行う。音声コーデック１６は、音声データの圧縮処理（符号化）および伸長処理を行い、あるいは、アナログ信号をディジタル信号に、ディジタル信号をアナログ信号に変換処理する。また、図示しない内部の増幅回路の増幅度を可変して、受話音量を増幅あるいは減衰させ、マイクロホンの感度を変更する。
【００２５】
切替回路４は、増幅回路７を介して第１スピーカ１０に接続されている。第１スピーカ１０は、増幅回路７で増幅されたベースバンド部３からの電気信号を音声信号として外部に出力する。この第１スピーカ１０は、ユーザの耳にあてることにより、通話に使用される。
【００２６】
切替回路４は、また、増幅回路８を介してマイクロホン１１が接続されている。このマイクロホン１１は、通話に使用され、収音した音声信号を電気信号に変換する。マイクロホン１１から出力された電気信号は、増幅回路８において増幅されてベースバンド部３に出力される。
【００２７】
切替回路４は、また、増幅回路９を介して第２スピーカ１２が接続されている。この第２スピーカ１２には、増幅回路９において増幅されたベースバンド部３から入力された電気信号を音声信号として外部に出力する。この第２スピーカ１２は、受話音を周囲の人々に聞かせるための拡声用のスピーカである。また、第２スピーカ１２は、着信報知の鳴動も行う。なお、これらの３つの増幅回路７、８、９は、ゲインが固定されており、第１スピーカ１０及び第２スピーカ１２の音量やマイクロホン１１の感度を変更することはできないようになっている。
【００２８】
切替回路４は、また、ベースバンド部３との接続を、第１スピーカ１０用の増幅回路７とマイクロホン１１用の増幅回路８側にするか、あるいは拡声用の第２スピーカ１２用の増幅回路９とマイクロホン１１用の増幅回路８側にするかを切り替える。
【００２９】
制御回路（ＱＲコード抽出手段）５は、通話に必要な制御指示（例えば、位置登録、待受け、リンク確立、ハンドオーバなどの制御）や表示制御など携帯電話装置の全ての制御を行う。本実施形態においては、例えば、撮像部３５で撮像したＵＲＬ（または、メールアドレス等）に関する画像データを文字認識部３１に出力し、文字認識されたＵＲＬ（または、メールアドレス等）をＱＲコード変換部３２に出力してＱＲコードを生成させる。また、生成されたＱＲコードをメール作成部３３に出力して、ＱＲコードを添付ファイルとしたメールを生成させ、これを通信部２を介して他の携帯電話装置に送信する。一方で、他の携帯電話装置から通信部２を介して受信したメール内の添付ファイルからＱＲコードを抽出して、抽出したＱＲコードを文字情報変換部３４に出力して、アドレス情報に関する文字情報に変換させるとともに、得られたアドレス情報をＲＡＭ１８内の例えば、アドレス帳に格納する。
【００３０】
ＲＯＭ１７には、携帯電話装置１００全体を制御するためのシステムプログラムが格納されている。また、ＲＡＭ１８は、不揮発性メモリ等で構成され、制御回路５の制御に必要な所定の情報や発呼あるいは電子メールの送信に使用するアドレスデータ、写真などの画像データが記憶されている。
【００３１】
ディスプレイ１３は、現在の時刻や、電話番号、電子メールの内容等の所定の情報を表示する表示器であり、例えば、カラーＬＣＤやＥＬ（エレクトロ・ルミネッセンス）、ＰＤＰ（プラズマ・ディスプレイ・パネル）などで構成されている。
【００３２】
照明部１４は、ディスプレイ１３やキー等の照明を行う。
【００３３】
入力部（入力手段）６は、電話番号等の入力を行うテンキー１９と、通話の開始を操作する通話キー２０と、通話の終了を操作する切キー２１と、各種機能の設定を行う機能キー２２と、を有している。
【００３４】
文字認識部（文字認識手段）３１は、例えば、撮像部３５において撮像されたＵＲＬ（または、メールアドレス等）に関する画像データを入力して、画像データ内からＵＲＬ（または、メールアドレス等）に関する文字情報を認識して、これを抽出する。
【００３５】
ＱＲコード変換部（ＱＲコード変換手段）３２は、文字認識部３１が抽出したＵＲＬ（または、メールアドレス等）に関する文字情報からＱＲコードを生成する。具体的には、抽出したＵＲＬ（または、メールアドレス等）に関する文字情報をシフトＪＩＳの文字コードに基づいてビット「０」およびビット「１」からなるビット列に変換し、誤り訂正符号を計算して、この計算した誤り訂正符号を先に生成したビット列に付加する。次いで、誤り訂正符号を付加したビット列の全体のビット数（データ量）を算出し、算出したビット数に基づいてＱＲコードのサイズを決定する。そして、先に誤り訂正符号を付加したビット列をＱＲコードの配列規則にしたがって先に決定したサイズによって配列し、配列パターンデータを生成する。次に、先に生成した配列パターンデータをマスク処理し、ＱＲコードの位置を検出するための位置検出用のパターンデータ（切り出しシンボル）を付加し、位置検出用のパターンデータを付加した配列パターンデータに改行を示す「改行記号」を付加する。そして、配列パターンデータのデータ「０」を符号「Ａ」として表記し、データ「１」を符号「Ｂ」として表記し、「改行記号」を符号「Ｃ」として表記することによって、配列パターンデータを送信形式に準じた送信データフォーマットにしたがって表記する。
【００３６】
メール作成部（メール作成手段）３３は、ＱＲコード変換部３２において上記のように生成されたＱＲコードを例えば、上記の符号「Ａ」をビット「０」およびビット「０」が連続する２ビットで表記し、符号「Ｂ」をビット「０」およびビット「１」が連続する２ビットで表記し、符号「Ｃ」をビット「１」およびビット「０」が連続する２ビットで表記した添付ファイルを作成するとともに、予めＲＡＭ１８内に設定された他の携帯電話装置のメールアドレスを指定してメールを作成する。
【００３７】
文字情報変換部（文字情報変換手段）３４は、他の携帯電話装置からメールを受信したときに、添付ファイルから抽出されたＱＲコードを上記の文字情報からＱＲコードへの変換方法と逆の処理を行うことによって、ＵＲＬ（または、メールアドレス等）に関する文字情報を生成する。
【００３８】
撮像部（入力手段、撮像装置）３５は、画像データを取得する、例えば、ＣＣＤ等で構成されたカメラである。
【００３９】
次に、本実施形態に係る携帯電話装置１００の処理動作について、図２から図４に示すフローチャートに基づいて説明する。
【００４０】
図２は、送信側の携帯電話装置に関する処理動作を示している。
【００４１】
図２に示すように、制御回路５は、入力される様々な情報をモニタして、アドレス情報が入力されたか否かを検出する（ステップ１０１）。そして、アドレス情報が入力されたことを検出したときには、そのアドレス情報をＱＲコード変換部３２に出力する。ＱＲコード変換部３２では、入力されたアドレス情報を先に示した方法により、ＱＲコードに変換する（ステップ１０２）。変換されたＱＲコードは、メール作成部３３に出力され、変換されたＱＲコードを添付ファイルとして、メールを作成する（ステップ１０３）。このとき、制御回路５は、ＲＡＭ１８内に格納されているアドレス帳において、予め設定されたメールアドレスを読出し、これをメール作成部３３に出力する。メール作成部３３は、作成したメールに制御回路５から入力したメールアドレスを付加して、これを制御回路５に出力する（ステップ１０４）。制御回路５は、メール作成部３３から入力したメールを通信部２を介して、所望の携帯電話装置に送信する（ステップ１０５）。
【００４２】
一方で、受信側の携帯電話装置は、図３に示すフローに沿って処理動作を実行する。すなわち、受信側の携帯電話装置における通信部２が、送信側の携帯電話装置からのメールを受信すると（ステップ２０１）、受信されたメールは制御回路５に出力される。制御回路５では、入力したメールに添付されたファイルを開いて、その中にＱＲコードがあるかどうかを確認する。添付ファイルにＱＲコードがある場合には、その情報を抽出して（ステップ２０２）、これを文字情報変換部３４に出力する。文字情報変換部３４では、制御回路５からＱＲコードを入力すると、前述のＱＲコード変換部３２と逆の処理を行うことによりアドレス（ＵＲＬあるいはメールアドレス等）に関する文字情報を生成し、これを制御回路５に出力する（ステップ２０３）。制御回路５は、文字情報変換部３４からのアドレス（ＵＲＬあるいはメールアドレス等）に関する文字情報を入力すると、この情報をＲＡＭ１８のアドレス帳に格納する（ステップ２０４）。
【００４３】
したがって、本実施形態においては、送信側の携帯電話装置が入力したアドレス情報をＱＲコードに変換し、これを電子メールの添付ファイルとして送信するため、送信する情報の秘匿性を高めることができる。また、受信側の携帯電話装置においては、受信した添付ファイルから文字情報を取得して、これを記憶するため、取得したいアドレス情報を手間をかけることなく容易に取得できる。
【００４４】
次に、図４は、送信側の携帯電話装置の処理に関する変形例を示している。
【００４５】
この実施形態に用いられる送信側の携帯電話装置には、撮像部３５が備えられており、制御回路５は、撮像部３５から入力される画像情報をモニタしている（ステップ３０１）。制御回路５が画像情報の入力を検出すると、その画像情報の中に、アドレス情報に関する文字情報が画像情報の一部として撮像されているか否かを判断する（ステップ３０２）。判断の結果、アドレス情報に関する文字情報が画像情報の一部として撮像されていないと判断したときには、入力した画像情報を図示しない画像処理部等に出力する（ステップ３０８）。一方で、アドレス情報に関する文字情報が画像情報の一部として撮像されていると判断したときには、制御回路５が入力した画像情報からアドレス情報を抽出する（ステップ３０３）。抽出されたアドレス情報は、ＱＲコード変換部３２に出力され、ＱＲコード変換部３２では、入力されたアドレス情報を先に示した方法により、ＱＲコードに変換する（ステップ３０４）。変換されたＱＲコードは、メール作成部３３に出力され、変換されたＱＲコードを添付ファイルとして、メールを作成する（ステップ３０５）。このとき、制御回路５は、ＲＡＭ１８内に格納されているアドレス帳において、予め設定されたメールアドレスを読出し、これをメール作成部３３に出力する。メール作成部３３は、作成したメールに制御回路５から入力したメールアドレスを付加して、これを制御回路５に出力する（ステップ３０６）。制御回路５は、メール作成部３３から入力したメールを通信部２を介して、所望の携帯電話装置に送信する（ステップ３０７）。
【００４６】
したがって、本実施形態においては、アドレス情報を撮像装置により画像情報として取得するため、送信したいアドレス情報を撮像装置により撮像するだけで容易に取得できる。
【００４７】
以上、図面を参照して本発明の実施形態について詳述してきたが、具体的な構成はこれらの実施形態に限られるものではなく、この発明の要旨を逸脱しない範囲の設計変更等も含まれる。
【図面の簡単な説明】
【００４８】
【図１】本発明の携帯電話装置の構成図である。
【図２】本発明の送信側の携帯電話装置の処理フローチャートである。
【図３】本発明の受信側の携帯電話装置の処理フローチャートである。
【図４】送信側の携帯電話装置の処理に関する変形例を示す処理フローチャートである。
【符号の説明】
【００４９】
２  通信部（送信手段、受信手段）
５  制御回路（ＱＲコード抽出手段）
６  入力部（入力手段）
１８  ＲＡＭ（記憶手段）
３１  文字認識部（文字認識手段）
３２  ＱＲコード変換部（ＱＲコード変換手段）
３３  メール作成部（メール作成手段）
３４  文字情報変換部（文字情報変換手段）
３５  撮像部（入力手段、撮像装置）
【図１】
2006065491.tif 000003
【図２】
2006065491.tif 000004
【図３】
2006065491.tif 000005
【図４】
2006065491.tif 000006